(57)【特許請求の範囲】
【請求項１】
２つの部材をねじ結合することにより締結する締結部材において、
一方の部材側に設けられるネジ山と、他方の部材側に設けられるネジ溝とが係合可能に構成され、
前記ネジ溝は、前記２部材を相対的にねじの締め込み方向に回転移動させたときに、前記ネジ山が入り込むことができるようにねじの回転方向に幅広に形成された幅広部と、前記幅広部に前記ネジ山を導入することができる導入部とを有し、
前記幅広部を形成する縁部のうち前記ねじの回転方向と交差する方向に配置される縁部には、前記幅広部に前記ネジ山が入り込んだときに、前記ネジ山の前記導入部側に当接することができる突起部が形成され、
前記ネジ山の線条方向に配置される端部のうち、前記突起部と当接する側に配置される端部は、前記締め込み方向の側に向く傾斜面を有し、
前記ネジ山および前記ネジ溝は複数設けられ、前記複数のネジ溝に設けられる複数の前記突起部は、相対的に突起の高さが高い突起部と低い突起部とを有する、
ことを特徴とする締結部材。
【請求項２】
請求項１に記載される締結部材において、前記突起部が形成される前記縁部は、前記ネジ山の前記端部の傾斜面に沿う方向に傾斜する傾斜面を有する、
ことを特徴とする締結部材。
【請求項３】
請求項１に記載される締結部材において、
前記突起部が形成される前記縁部は、前記ねじの回転方向に沿う平面であり、前記ネジ山の線条方向に配置される端部のうち、前記突起部と当接する側に配置される端部は、前記ねじの締め込み方向の側から順に、前記締め込み方向の側に向く傾斜面と、前記ねじの回転方向に沿う平面とを有する、
ことを特徴とする締結部材。
【請求項４】
請求項１から３のいずれか１項に記載される締結部材において、
前記ネジ山の前記ねじの締め込み方向と反対側に位置する面は、前記導入部を形成する縁部に当接する当接部と、前記縁部から離間する凹部とを有する、
ことを特徴とする締結部材。
【発明の詳細な説明】
【技術分野】
【０００１】
本発明は、締結部材および容器に関する。
【背景技術】
【０００２】
ねじ結合により締結を行う締結部材として、特許文献１には、締結操作の容易化が図られた締結部材が開示されている。特許文献１に開示される締結部材によれば、締結部材同士を相対的に接近させる方向に押す（移動させる）ことによって、ねじ結合が行われ、ねじの回転方向への回転量を少なくすることができる。また、特許文献１には、前記の締結部材として、容器本体と蓋体とを有する容器が開示されている。
【先行技術文献】
【特許文献】
【０００３】
【特許文献１】特開２０１０−２６５０２５号公報
【発明の概要】
【発明が解決しようとする課題】
【０００４】
締結部材には、確実な締結状態が要求される一方で、締結操作の簡便さも要求される。また、容器においては、密閉性の向上が要求される。そこで、本発明の１つの課題は、締結操作の簡便性が図られた締結部材を提供することである。また、他の課題は、密閉性の高い容器を提供することである。
【課題を解決するための手段】
【０００５】
上記課題を解決するため、本発明は、２つの部材をねじ結合することにより締結する締結部材において、一方の部材側に設けられるネジ山と、他方の部材側に設けられるネジ溝とが係合可能に構成され、ネジ溝は、２部材を相対的にねじの締め込み方向に回転移動させたときに、ネジ山が入り込むことができるようにねじの回転方向に幅広に形成された幅広部と、幅広部に前記ネジ山を導入することができる導入部とを有し、幅広部を形成する縁部のうちねじの回転方向と交差する方向に配置される縁部には、幅広部にネジ山が入り込んだときに、ネジ山の導入部側に当接することができる突起部が形成され、ネジ山の線条方向に配置される端部のうち、突起部と当接する側に配置される端部は、締め込み方向の側に向く傾斜面を有し、ネジ山およびネジ溝は複数設けられ、複数のネジ溝に設けられる複数の突起部は、相対的に突起の高さが高い突起部と低い突起部とを有することとする。
【０００６】
また、締結部材は、突起部が形成される縁部が、ネジ山の端部の傾斜面に沿う方向に傾斜する傾斜面を有していることが好ましい。
【０００７】
また、締結部材は、突起部が形成される縁部が、ねじの回転方向に沿う平面であり、ネジ山の線条方向に配置される端部のうち、突起部と当接する側に配置される端部は、ねじの締め込み方向の側から順に、締め込み方向の側に向く傾斜面と、ねじの回転方向に沿う平面とを有することが好ましい。
【０００８】
また、締結部材は、ネジ山のねじの締め込み方向と反対側に位置する面が、導入部を形成する縁部に当接する当接部と、縁部から離間する凹部とを有することが好ましい。
【発明の効果】
【００１４】
本発明の１の効果は、締結部材の締結操作の簡便性を図ることができることである。また、他の効果は、容器の密閉性を高いものとすることができることである。
【図面の簡単な説明】
【００１５】
【図１】本発明の実施の形態に係る容器を側面から見た図であり、一部を断面にて示す図である。
【図２】図１に示す容器本体の斜視図である。
【図３】容器本体のねじ係合部を外方向から中心線に向かって見たときのねじ係合部の展開図である。
【図４】図３に示す切断線Ａ−Ａに対応する部分の容器本体の断面図である。
【図５】図１に示す蓋体の斜視図である。
【図６】蓋体のねじ係合部を中心線側から外方向に向かって見たときのねじ係合部の展開図である。
【図７】図６に示す切断線Ｂ−Ｂに対応する部分の蓋体の断面図である。
【図８】ねじ山が幅広部に入り込み、容器本体と蓋体との締結が完了した状態を示す図である。
【図９】図１に示す容器の変形例の構成を示す図である。
【図１０】図１に示す容器の変形例の構成を示す図である。
【図１１】図１に示す容器の変形例の構成を示す図である。
【図１２】図１に示す容器の変形例の構成を示す図である。
【発明を実施するための形態】
【００１６】
以下、本発明の実施の形態に係る締結部材である容器１について、図を参照しながら説明する。なお、この容器１は、化粧品を収納する容器、飲料用の容器（ペットボトル等）、食料品保存用の容器その他の容器に適用できる。
【００１７】
（容器１の全体構成）
図１に示すように、容器１は、締結部材の一方の部材としての容器本体２と、他方の部材としての蓋体３とを有する。容器１は、図１に示すように、容器本体２と蓋体３とが、ネジ山４とネジ溝５とによりねじ結合されることで締結されるものである。そして、容器本体２と蓋体３とを締結することで、容器本体２に形成される開口部６（図２参照）を蓋体３により閉塞することができるように構成されている。
【００１８】
なお、図１は、容器１を側面から見た図であり、一部が断面にて示されている。図１に示す断面部分のうち、ネジ山４の部分は、図３に示す切断線Ａ−Ａにおける断面の形状が示されている。また、ネジ溝５の部分は、図６に示す切断線Ｂ−Ｂにおける断面の形状が示されている。容器１は、中心線Ｘに対して回転対称な形状を呈している。
【００１９】
以下の説明において、容器１（容器本体２、蓋体３）の中心線Ｘに直交する方向であって、中心線Ｘに向かう方向を内方向または内側、中心線Ｘから離れる方向を外方向または外側として説明を行うこととする。また、容器本体２と蓋体３とが締結された状態において、容器本体２に対して蓋体３が配置される方向を上方、言い換えれば、蓋体３に対して容器本体２が配置される方向を下方として説明を行うこととする。容器本体２と蓋体３とが分離された状態においては、たとえば、容器本体２については、蓋体３が締結される側を上方とし、また、蓋体３については、容器本体２が締結される側を下方として説明することとする。なお、本説明においては、上下方向は、鉛直方向の上下を意味するものではなく、中心線Ｘに沿う方向を意味するものとする。
【００２０】
図２は、容器本体２を斜め上方から見たときの斜視図である。図２に示すように、容器本体２の開口部６側の外周面には、複数のネジ山４により構成されるネジ係合部７が形成されている。図３は、容器本体２のネジ係合部７を外方向から中心線Ｘに向かって見たときのネジ係合部７の展開図である。図４は、容器本体２の図３に示す切断線Ａ−Ａに対応する部分の断面図である。
【００２１】
図５は、蓋体３を斜め下方から見たときの斜視図である。図１および図５に示すように、蓋体３は、天板部８（図１参照）と側壁部９とを有し、側壁部９の内側は、開口部１０が設けられている。側壁部９の内周面には、複数のネジ溝５により形成されるネジ係合部１１が形成されている。図６は、蓋体３のネジ係合部１１を中心線Ｘ側から外方向に向かって見たときのネジ係合部１１の展開図である。図７は、蓋体３の図６に示す切断線Ｂ−Ｂに対応する部分の断面図である。
【００２２】
容器本体２と蓋体３とは、後述するように、ネジ係合部７側のネジ山４とネジ係合部１１側のネジ溝５とが係合することによりねじ結合が達成されるように構成されている。また、図１、図５および図７に示すように、蓋体３の天板部８の下面には、パッキン１２が配置されている。したがって、図１に示すように、容器本体２に蓋体３が締結された状態において、容器本体２の開口部６を形成する縁部１３とパッキン１２とが密着することにより、容器１が密閉状態とされる。
【００２３】
（ネジ係合部７、ネジ係合部１１）
図２等に示すように、ネジ山４は、容器本体２の外周面に形成される凸条部１４により形成される。一方、ネジ溝５は、図５等に示すように、蓋体３の側壁部９の内周面から内側に向けて突出している凸状部１５と凸状部１５との間をネジ溝５として形成されている。すなわち、凸状部１５は、ネジ溝５を形成するネジ山として構成されている。ネジ山４とネジ溝５とは同数形成され、それぞれ等間隔に配置されている。そして、ネジ山４は、ネジ溝５の間に配置可能であり、ネジ山４がネジ溝５の間に配置されることで、ネジ山４とネジ溝５とが互いに係合状態となる。
【００２４】
図３に示すように、ネジ山４は、リード角αが３０度に設定されている。ネジ山４の上端部１６（縁部１３側の端部）は、傾斜面１６Ａ，１６Ｂとを有している。傾斜面１６Ａおよび傾斜面１６Ｂは、ねじの回転方向の側に向く傾斜面である。ここで、「ねじの回転方向の側に向く」とは、面の法線の方向成分が、ねじの回転方向の成分を有することを意味するものである。また、傾斜面１６Ａおよび傾斜面１６Ｂは、各面の法線が交差しない方向に向く面である。すなわち、傾斜面１６Ａと傾斜面１６Ｂとは互いに反対の側を向く傾斜面である。したがって、上端部１６は縁部１３側に膨出した形状となっている。また、ネジ山４には、一つ置きに、外側に向かって突出する突起部１７が形成されている。また、ネジ山４の下端部１８は、傾斜面１８Ａを有している。この傾斜面１８Ａは、容器本体２を蓋体３に対して回転させて締め込む回転方向（ねじの締め込み方向）に回転させるときの回転方向の側に面を向けた傾斜面である。
【００２５】
図６に示すように、ネジ溝５のリード角βは、ネジ山４のリード角αに併せて３０度に設定されている。なお、複数のネジ溝５が配置される方向、および上述の複数のネジ山４が配列される方向は、容器本体２と蓋体３とをねじ結合する際、およびねじ結合を解除する際に、容器本体２と蓋体３とを回転移動させる方向であり、ねじの回転方向となる。
【００２６】
凸状部１５は、線条部１９と、線条部１９の下端側に配置される延設部２０と、線条部１９の上端側に配置される突起部２１とを有する。線条部１９は、リード角β（＝３０度）に沿って形成されている。延設部２０は、ねじの回転方向に沿って、蓋体３を容器本体２に対して回転させて締め込むときの回転方向（ねじの締め込み方向）に向けて延設されている。突起部２１は、線条部１９に対して、延設部２０が線条部１９から延設される側に設けられている。すなわち、突起部２１および延設部２０は、線条部１９に対して同じ側に設けられている。
【００２７】
ネジ溝５は、線条部１９に沿って形成される導入部２２と、この導入部２２に連続する溝であって、延設部２０と線条部１９と突起部２１とに囲まれた幅広部２３とを有している。幅広部２３は、導入部２２がねじの回転方向に沿って拡幅された溝である。導入部２２と幅広部２３とは、蓋体３の下側（開口部１０側）から導入部２２、幅広部２３の順で配置されている。導入部２２の下方の端部は、ネジ山４をネジ溝５内に導入することができるように開口された開口部２４として形成されている。
【００２８】
幅広部２３は、導入部２２が矢印Ｃに示す方向、すなわち、ねじの締め込み方向に向かって拡幅された溝である。矢印Ｃの方向は、蓋体３と容器本体２とを相対的にねじの締め込み方向に回転移動させたときにネジ山４が移動する方向である。後述（図８参照）するように、ネジ山４と幅広部２３とは、ネジ山４が幅広部２３に入り込むことにより、蓋体３と容器本体２との締結が行われるように構成されている。
【００２９】
延設部２０の幅広部２３側の縁部２５には、幅広部２３内に突出する突起部２６が形成されている。図８に示すように、突起部２６は、幅広部２３内にネジ山４が入り込んだ状態で、ネジ山４と導入部２２との間となる位置に配置されている。突起部２６は、幅広部２３に入り込んだネジ山４が導入部２２側に抜け難くするために形成されるものであるが、突起部２６の幅広部２３側への突出幅Ｈ１（図６参照）は、ネジ山４の下端部１８が突起部２６を乗り越えて、導入部２２側と幅広部２３側とを行き来することができる幅に設定されている。
【００３０】
幅広部２３の縁部２５は、導入部２２側から線条部１９に向かって上方に傾斜する傾斜面２７を有している。この傾斜面２７とネジ山４側の傾斜面１８Ａとは、ネジ山４が幅広部２３内に入り込んだ状態で、互いに面接触することができるように、ねじの回転方向に対する傾斜角が略同一に設定されている。
【００３１】
幅広部２３には、凸条部２８が形成されている。凸条部２８は、稜部２８Ａがねじの回転方向に沿うように形成されている。この凸条部２８は、図７に示すように、凸状部１５よりも外側への突出量が小さく設定されている。
【００３２】
延設部２０の端部としての下縁部２９（側壁部９の縁部３０側の縁部）は、傾斜面２９Ａ，２９Ｂとを有している。傾斜面２９Ａおよび傾斜面２９Ｂは、ねじの回転方向に向く傾斜面である。また、傾斜面２９Ａおよび傾斜面２９Ｂは、各面の法線が交差しない方向に向く面である。すなわち、傾斜面２９Ａと傾斜面２９Ｂとは互いに反対の側を向く傾斜面である。したがって、下端部２９は側壁部９の縁部３０側に膨出した形状となっている。
【００３３】
（容器１の締結動作）
次に、上述のように構成される容器１の容器本体２と蓋体３との締結動作について説明する。先ず、締結にあたって、容器本体２と蓋体３とを、容器本体２の開口部６と、蓋体３の開口部１０とが対向するように配置する。そして、容器本体２の中心線Ｘと蓋体３の中心線Ｘとを略一致させた状態で、ネジ山４がネジ溝５の開口部２４から導入部２２内に導入されるように、容器本体２と蓋体３とを接近させる。続いて、容器本体２と蓋体３とを、両者が相対的に接近する方向に押圧すると、ネジ山４が導入部２２に導かれ、導入部２２の奥側（天板部８側）に入り込んで行く（進入して行く）。
【００３４】
容器本体２と蓋体３とを、両者が相対的に接近する方向に押圧することで、ネジ山４が導入部２２の奥側に入り込んで行くのは、ネジ山４とネジ溝５のリード角が３０度に設定されているためである。つまり、ネジのリード角が、たとえば、５度程度の場合には、ネジ山とネジ溝とをねじ結合させるために、締結部材同士を積極的にねじの回転方向に相対的に回転させる必要がある。しかしながら、ねじのリード角を、たとえば本実施の形態のように３０度にすることで、締結部材同士を積極的にねじの回転方向に相対的に回転させなくても、締結部材同士を互いに接近させる方向に押圧することで、ねじ結合を行うことができる。なお、リード角は、１０度以上８０度以下の範囲にすることで、締結部材同士を互いに接近させる方向に押圧する操作により、ねじ結合が行われると共に、ねじ結合の状態を良好なものとすることができる。
【００３５】
ネジ山４の上端部１６は、傾斜面１６Ａ，１６Ｂとを有している。また、延設部２０の下縁部２９は、傾斜面２９Ａ，２９Ｂとを有している。したがって、ネジ山４を導入部２２内に導入させる際に、ネジ山４の上端部１６と延設部２０の下縁部２９とが当接しても、傾斜面１６Ａ，１６Ｂと傾斜面２９Ａ，２９Ｂとの作用により、容器本体２と蓋体３とは、ねじの回転方向に相対的な回転が促される。つまり、ネジ山４は、傾斜面２９Ａまたは傾斜面２９Ｂに沿って導入部２２の側に移動し易い。そのため、ネジ山４の導入部２２への進入が促される。
【００３６】
（密閉動作）
ネジ山４には突起部１７が形成されている。また、ネジ溝５には凸条部２８が形成されている。したがって、ネジ山４が導入部２２の奥側に入り込んで行くと、ネジ山４の突起部１７と、ネジ溝５側の凸条部２８とが当接する。しかしながら、容器本体２および蓋体３の少なくとも一方は、外部からの押力等により僅かに弾性変形可能に形成されている。したがって、突起部１７と凸条部２８とが当接した状態で、容器本体２と蓋体３とをさらに接近させると、突起部１７が凸条部２８を乗り越える。
【００３７】
突起部１７が凸条部２８を乗り越えた状態で、容器本体２の縁部１３は、パッキン１２をやや押圧した状態でパッキン１２に当接している。したがって、容器本体２にはパッキン１２の弾性により蓋体３から離間する方向に押力が作用する一方で、突起部１７が凸条部２８に当接するため、該離間する方向への移動が規制される。つまり、突起部１７が凸条部２８を乗り越えた状態に、ネジ係合部７とネジ係合部１１とが係合することで、開口部６がパッキン１２により閉塞され、容器１が密閉状態となる。なお、容器本体２および蓋体３の少なくとも一方を、たとえば、ポリプロピレンあるいはポリエチレン等樹脂材により形成することで、突起部１７が凸条部２８を乗り越えることができる程度の弾性変形が可能となる。
【００３８】
（締結完了動作）
凸条部２８は、稜部２８Ａがねじの回転方向に沿って配置される線条の形状を呈している。また、導入部２２には幅広部２３が連繋している。したがって、突起部１７が凸条部２８を乗り越えた状態で、容器本体２と蓋体３とを、ネジ山４が幅広部２３に入り込む方向に相対的に回転させると、図８に示すように、容器１の密閉が保持された状態で、幅広部２３内にネジ山４が入り込む。ネジ山４が幅広部２３内に完全に入り込んだ状態で、ネジ係合部７とネジ係合部１１との係合が完了する。すなわち、容器本体２と蓋体３との締結が完了した状態となる。なお、図８は、容器本体２と蓋体３とを外方向から中心線に向かって見たときのネジ山４とネジ溝５との係合状態を示している。
【００３９】
幅広部２３の縁部２５と突起部２１との間の間隔Ｈ２（図８参照）と、ネジ山４の中心線Ｘに平行な方向の幅Ｈ３（図３参照）とは、図８に示すように、幅広部２３内にネジ山４が入り込むことができるように設定されている。そして、間隔Ｈ２と、幅Ｈ３とは、幅広部２３内にネジ山４が入り込んだときに、延設部２０の縁部２５と突起部２１とにネジ山４の両端部（上端部１６、下端部１８）が軽く接触（容器本体２と蓋体３との相対的な回転を許容する程度）する。
【００４０】
ネジ山４が幅広部２３内に入り込んだ状態において、ネジ山４の下端部１８と延設部２０の縁部２５とは、容器本体２と蓋体３との離間方向において係合する。そのため、ネジ山４が幅広部２３内に入り込んだ状態のときに、容器本体２と蓋体３とに、容器本体２と蓋体３とを離間させる方向の力が作用しても、下端部１８と縁部２５とが係合するため、蓋体３が容器本体２から外れてしまうことを防止することができる。
【００４１】
幅広部２３の天板部８側には、突起部２１が設けられている。突起部２１は、ネジ山４が幅広部２３内に入り込んだ状態で、ネジ山４と天板部８との間に配置され、容器本体２と蓋体３とが接近する方向に相対的に移動したとき、あるいは移動しようとしたときに、ネジ山４と突起部２１とが当接し、該相対移動を禁止する。本体容器１と蓋体３とを互いに接近する方向に押圧すると、パッキン１２が縁部１３により押圧される。そのため、縁部１３により、パッキン１２が降伏点を超えて押圧された場合には、パッキン１２と縁部１３との間の密着性が損なわれてしまう虞がある。そこで、突起部２１は、容器本体２と蓋体３とがパッキン１２の降伏点を超えて接近することがないように、容器本体２と蓋体３との近接する方向への移動量を規制している。
【００４２】
なお、図９に示すように、ネジ山４が幅広部２３内に入り込み、ネジ山４と天板部８（図１参照）との間に突起部２１が配置されたときに、上端部１６と突起部２１との間に僅かな間隙Ｈ４が形成されるように構成してもよい。なお、図９は、容器本体２と蓋体３とを外方向から中心線に向かって見たときのネジ山４とネジ溝５との係合状態を示している。かかる構成とした場合には、上端部１６に突起部２１との間に摺動抵抗が生じない。一方、ネジ山４の両端部（上端部１６、下端部１８）が延設部２０の縁部２５と突起部２１とに接触している場合は、ネジ山４の両端部に延設部２０の縁部２５と突起部２１との摺動抵抗が作用する。
【００４３】
上記構成とすることで、ネジ山４と天板部８との間に突起部２１が配置された状態で容器本体２と蓋体３とを相対的に回転させる際、回転に要する力を、ネジ山４の両端部（上端部１６、下端部１８）が延設部２０の縁部２５と突起部２１とに接触している場合に比べて小さなものとすることができる。
【００４４】
（突起部２６の乗り越え）
縁部２５には突起部２６が形成されている。したがって、図８に示すように、幅広部２３内に入り込んだネジ山４は、突起部２６より導入部２２側に移動し難くなっている。つまり、幅広部２３に入り込んだネジ山４が不要に導入部２２側に抜けてしまうことが防止され、容器本体２と蓋体３との締結状態をより確実に維持することができる。なお、上述したように、容器本体２および蓋体３の少なくとも一方は、外部からの押力等により僅かに弾性変形可能に形成されている。したがって、ネジ山４が幅広部２３内に入り込む際には、ネジ山４は突起部２６を乗り越えて幅広部２３内に入り込むことができる。
【００４５】
突起部２６を乗り越えるネジ山４の下端部１８は、傾斜面１８Ａに形成されている。傾斜面１８Ａは、斜面がねじの締め込み方向の側に向けられている。したがって、導入部２２から幅広部２３にネジ山４を移動する際、ネジ山４が突起部２６を乗り越え易い。つまり、容器本体２と蓋体３とのねじの締め込み方向への相対的な回転をスムーズに行うことができる。
【００４６】
上述のようにして締結された容器本体２と蓋体３とを解結、すなわち、容器本体２と蓋体３とを分離するには、容器本体２と蓋体３とを、ねじの締め込み方向とは逆方向に回転させる。該回転により、ネジ山４が突起部２６を乗り越えて導入部２２側に移動する。そして、さらに該回転を行うことで、突起部１７が凸条部２８を開口部２４側に乗り越え、ネジ山４が導入部２２に沿って開口部２４側に移動され、ネジ山４が開口部２４から脱出してネジ係合部７とネジ係合部１１との係合が解除される。
【００４７】
（本実施の主な効果）
本実施の形態に係る締結部材としての容器１は、互いにねじ結合により締結される２つの部材としての容器本体２と蓋体３とを備える。一方の部材である容器本体２に設けられるネジ山４と、他方の部材である蓋体３に設けられるネジ溝５とは係合可能に構成されている。ネジ溝５は、容器本体２と蓋体３とを相対的にねじの締め込み方向に回転移動させたときに、ネジ山４が入り込むことができるように、ねじの回転方向に幅広に形成された幅広部２３を有している。また、ネジ溝５は、幅広部２３にネジ山４を導入することができる導入部２２を有している。幅広部２３のねじの回転方向と交差する方向、すなわち下方向に配置され幅広部２３の一部を形成する縁部２５には、幅広部２３に入り込んだネジ山４に対して、ネジ山４の導入部２２側に当接することができる突起部２６が形成されている。そして、ネジ山４の線条方向に配置される端部のうち、突起部２６と当接する側に配置される端部である下端部１８は、ねじの締め込み方向の側に面を向ける傾斜面１８Ａとして形成されている。なお、「ねじの締め込み方向の側に面を向ける」とは、面の法線の方向成分が、ねじの締め込み方向の成分を有することを意味するものである。
【００４８】
容器１は、上述のように、縁部２５に突起部２６が設けられていることで、幅広部２３に入り込んだネジ山４が不要に導入部２２側に抜けてしまうことが防止される。つまり、容器本体２と蓋体３との締結状態をより確実に維持することができる。一方、下端部１８が、斜面をねじの締め込み方向の側に向けた傾斜面１８Ａとして形成されていることで、導入部２２から幅広部２３にネジ山４を移動する際、ネジ山４が突起部２６を乗り越え易い。つまり、容器本体２と蓋体３とのねじ込み方向への相対的な回転をスムーズに行うことができる。
【００４９】
さらに、幅広部２３の縁部２５は、下端部１８の傾斜面１８Ａに沿う方向に傾斜する傾斜面２７を有している。したがって、ネジ山４が幅広部２３内に入り込んだ状態で、傾斜面２７とネジ山４側の傾斜面１８Ａとは、互いに面接触にて接触することができる。
【００５０】
ネジ山４は、下端部１８が傾斜面１８Ａとなっているため下方ほど細くなっている。したがって、仮に、縁部２５がねじの回転方向に平行な面である場合には、下端部１８と縁部２５との接触面積が少ないため、下端部１８と縁部２５との間に押力が作用した場合に、押力が狭い部分に集中し、下端部１８あるいは縁部２５が破損し易いという問題が起こり得る。これに対し、下端部１８と縁部２５とが面接触することで、下端部１８と縁部２５との間に押力が作用した場合に、接触部に作用する押力が分散し、上述の問題が起こり難い。
【００５１】
容器１においては、ネジ山４とネジ溝５の導入部２２とは、ネジ山４と導入部２２とを係合させた状態で、容器本体２と蓋体３とに対して、これら２部材を相対的に接近させる方向の力を作用させたときに、ネジ山４と導入部２２とが相対的に移動可能なリード角である３０度に形成されている。ネジ山４のネジ溝５への導入方向の端部である上端部１６は、ねじの回転方向の両方の側に面を向けると共に互いに反対の側を向く傾斜面１６Ａ，１６Ｂを有している。また、ネジ溝５を形成するネジ山である凸状部１５の容器本体２側の端部である下縁部２９も、ねじの回転方向の両方の側に面を向けると共に互いに反対の側を向く傾斜面２９Ａ，２９Ｂを有している。
【００５２】
したがって、ネジ山４を導入部２２内に導入させる際に、ネジ山４の上端部１６と延設部２０の縁部２９とが当接した場合にも、傾斜面１６Ａ，１６Ｂと傾斜面２９Ａ，２９Ｂとの作用により、容器本体２と蓋体３とは、ねじの回転方向に相対的な回転が促される。つまり、ネジ山４は、傾斜面２９Ａまたは傾斜面２９Ｂに沿って導入部２２の側に移動し易く、ネジ山４の導入部２２への進入が促される。なお、本実施の形態における容器１においては、ネジ山４と凸状部１５の両方に、斜面を形成しているが、ネジ山４に傾斜面１６Ａ，１６Ｂを設けるか、または凸状部１５に傾斜面２９Ａ，２９Ｂを設けることで、ネジ山４の導入部２２への進入が促される。ネジ山４と凸状部１５の両方に該傾斜面を設けることで、いずれか一方に該傾斜面を設ける場合に比べて、ネジ山４の導入部２２への進入がより促される。
【００５３】
容器１は、容器本体２と蓋体３との締結が完了した状態で、開口部６を形成する縁部１３と蓋体３の天板部８との間に配置されるパッキン１２とを備える。そして、ネジ溝５には、容器本体２と蓋体３との締結が完了した状態において、容器本体２と蓋体３とが相対的に接近する方向の移動に対して、ネジ山４に当接する突起部２１が配置されている。
【００５４】
突起部２１が配置されることで、容器本体２と蓋体３との締結が完了した状態において、容器本体２と蓋体３とが接近する方向に相対的に移動したとき、あるいは移動しようとしたときに、ネジ山４と突起部２１とが当接し、該相対移動が禁止される。縁部１３によるパッキン１２の押圧が、パッキン１２の降伏点を超える場合には、パッキン１２と縁部１３との間の密着性が損なわれてしまう虞がある。しかしながら、容器本体２と蓋体３とがパッキン１２の降伏点を超えて接近することがないように、突起部２１により、容器本体２と蓋体３との近接する方向への移動量を規制することができる。
【００５５】
（変形例）
上述したネジ山４の下端部１８は、ほぼ全域に亘って傾斜面１８Ａに形成されている。これに対し、ネジ山４とネジ溝５は、図１０に示すように構成してもよい。図１０の上段（Ａ）に示すように、ネジ山４の下端部１８を、ねじの締め込み方向の側から順に、締め込み方向の側に向く傾斜面１８Ｂと、ねじの回転方向に沿う平面１８Ｃとにより形成してもよい。また、上述したネジ溝５の縁部２５は、導入部２２側から線条部１９に向かって上方に傾斜する傾斜面２７を有している。これに対し、図１０の下段（Ｂ）に示すように、縁部２５を平面２７Ａに形成してもよい。なお、図１０（Ａ）は、ネジ山４を外方向から中心線に向かって見たときの図であり、図１０（Ｂ）も、ネジ溝５を外方向から中心線に向かって見たときの図である。
【００５６】
図１０（Ａ）に示すように、下端部１８に傾斜面１８Ｂを形成することで、ネジ山４を導入部２２から幅広部２３に移動する際、ネジ山４が突起部２６を乗り越え易い。つまり、容器本体２と蓋体３とのねじの締め込み方向への相対的な回転をスムーズに行うことがきる。
【００５７】
また、図１０（Ａ）に示すように、下端部１８に平面１８Ｃを形成すると共に、図１０（Ｂ）に示すように、縁部２５を平面２７Ａに形成することで、ネジ山４が幅広部２３内に入り込んだ状態で、平面２７Ａとネジ山４側の平面１８Ｃとは、互いに面接触にて接触することができる。つまり、下端部１８と縁部２５とが面接触することができる。下端部１８と縁部２５とが面接触することで、下端部１８と縁部２５との間に押力が作用した場合に、接触部に作用する押力が分散する。そのため、下端部１８と縁部２５との間に押力が作用した場合であっても、押力が狭い部分に集中し難いため、下端部１８あるいは縁部２５が破損してしまうことを防止できる。
【００５８】
なお、傾斜面１８Ｂと平面１８Ｃとは、下端部１８の幅に対して概ね半分ずつの割合で形成されている。下端部１８に、かかる割合で傾斜面１８Ｂと平面１８Ｃとを形成することで、突起部２６を乗り越えるための傾斜面１８Ｂの傾斜角と長さを確保できると共に、下端部１８と縁部２５との接触部に作用する押力の分散を適切に図ることができる。
【００５９】
図１１に示すように、ネジ山４のねじの締め込み方向と反対側に位置する面４Ａに、導入部２４を形成する縁部１９Ａに当接する当接部４Ｂと、縁部１９Ａから離間する凹部４Ｃとを形成してもよい。なお、縁部１９Ａは、線条部１９の導入部２４側の縁部である。
【００６０】
ネジ山４の面４Ａに、凹部４Ｃを形成することで、ネジ山４と縁部１９Ａとの接触面積を減らすことができる。これにより、ネジ山４が導入部２４を移動する際の線条部１９との間の摺動抵抗を低減させることができ、容器本体２と蓋体３とを相対的に回転させる際に要する力の低減を図ることができる。
【００６１】
（変形例）
上述の実施の形態に係る締結部材としての容器１は、ネジ山４とネジ溝５とが複数形成され、各ネジ溝５の幅広部２３を形成する縁部２５には突起部２６が形成されている。突起部２６が形成されることで、幅広部２３に入り込んだネジ山４が不用意に導入部２２側に抜けてしまうことを防止できる。しかしながら、ネジ山４が幅広部２３に入り込む際、あるいは、幅広部２３に入り込んだネジ山４を導入部２２側に移動させる際にネジ山４の下端部１８が突起部２６を乗り越える必要がある。そのため、容器本体２と蓋体３との締結やその締結の解除は、ネジ山４の下端部１８と突起部２６との間に生じる摺動抵抗に抗して容器本体２と蓋体３とを回転する必要がある。
【００６２】
上述の実施の形態では、全てのネジ溝５に同一形状の突起部２６を設けている。したがって、締結やその解除を行う際の摺動抵抗が大きくなり易い。つまり、容器本体２と蓋体３とを回転させ難くなる虞がある。そこで、図１２に示すように、突起部２６を、突出幅（突起の高さ）Ｈ１が大きな突起部２６Ａと、突出幅Ｈ１が突起部２６Ａに比べて小さな突起部２６Ｂとを組み合わせた構成としてもよい。突起部２６Ａと突起部２６Ｂとは一定の順序、すなわち、中心線Ｘに対して対称に配列される。
【００６３】
このように構成した場合には、主として突起部２６Ａによりネジ山４が不用意に導入部２２側に抜けてしまうことを防止しながら、補充的に突起部２６Ｂよりネジ山４が不用意に導入部２２側に抜けてしまうことを防止できる。つまり、ネジ山４が不用意に導入部２２側に抜けてしまう事故を十分に防止することができる。一方、突起部２６Ｂにおいては、突出幅Ｈ１が小さいため、ネジ山４の下端部１８が突起部２６Ｂを乗り越える際に生じる摺動抵抗が突起部２６Ａに比べて小さい。そのため、締結やその解除を行う際に生じる摺動抵抗を小さくすることができる。
【００６４】
突起部２６Ａと突起部２６Ｂとを設ける比率を１：１〜１：３とし、突起部２６Ｂの突出幅Ｈ１を突起部２６Ａの突出幅Ｈ１に対して、４０％〜６０％とすることで、ネジ山４が不用意に導入部２２側に抜けてしまう事故を十分に防止できると共に、締結を行う際に容器本体２と蓋体３とが回転するときに生じる摺動抵抗を小さくすることができる。
【００６５】
容器本体２を形成する材質を、たとえば、ポリエチレンとし、また、蓋体３を形成する材質を、たとえば、ポリプロピレンとし、そして、図１２に示すように、突起部２６Ａと突起部２６Ｂとを設ける比率を１：２とすると共に、突起部２６Ｂの突出幅Ｈ１は、突起部２６Ａの突出幅Ｈ１に対して４５％〜５５％とすることで、より好適に、ネジ山４が不用意に導入部２２側に抜けてしまう事故を防止できる。加えて、締結を行う際の容器本体２と蓋体３との摺動抵抗を小さくすることができる。なお、突起部２６Ａと突起部２６Ｂとは一定の順序、すなわち、２つ連続して配置される突起部２６Ｂの間に１つの突起部２６Ａが配置されている。容器本体２を形成する材質としては、ポリエチレンの他、ポリプロピレンやＰＥＴ（Ｐｏｌｙｅｔｈｙｌｅｎｅ Ｔｅｒｅｐｈｔｈａｌａｔｅ  ポリエチレンテレフタラート）を用いることができる。
【００６６】
また、容器１内の内容物、たとえば、ジャム等の粘着物や調味料等の粉末が、ネジ山４の面４Ａと縁部１９Ａとの間に付着した場合に、かかる付着物を凹部４Ｃに逃がすことができる。そのため、ネジ山４の当接面４Ｂと縁部１９Ａとの間に付着物が入り、ネジ山４の面４Ａと縁部１９Ａとの間の滑りが悪化してしまうことを防止できる。
【００６７】
なお、上述の説明では、締結部材を容器１として説明しているが、容器以外の締結部材、たとえば一方の部材をボルト、他方の部材をナットとし、両者をねじ結合する締結部材としても良い。また、旗ざお、釣りざお等各種のさおのねじを利用した結合部分に上述した構成を適用することができる。さらに、組み立て式の机、いす、ビリヤードのキュー等、各種の組み立て式製品のねじを利用した結合部分に上述した構成を適用することができる。なお、締結部材が容器の場合、その容器は、密封性に優れる密封容器である必要はない。
【符号の説明】
【００６８】
１  …  容器（締結部材）
２  …  容器本体（一方の部材）
３  …  蓋体（他方の部材）
４  …  ネジ山
５  …  ネジ溝
８  …  天板部
１０  …  開口部
１２  …  パッキン
１６  …  端部
１６Ａ,１６Ｂ，２９Ａ，２９Ｂ  …  傾斜面
１８  …  端部
１８Ａ  …  傾斜面
２１  …  突起部
２２  …  導入部
２３  …  幅広部
２５  …  縁部
２６  …  突起部
２６Ａ  …  突起部
２６Ｂ  …  突起部
２７  …  傾斜面
２９  …  下縁部（端部）
【図１】
0005806552.tif 000002
【図２】
0005806552.tif 000003
【図３】
0005806552.tif 000004
【図４】
0005806552.tif 000005
【図５】
0005806552.tif 000006
【図６】
0005806552.tif 000007
【図７】
0005806552.tif 000008
【図８】
0005806552.tif 000009
【図９】
0005806552.tif 000010
【図１０】
0005806552.tif 000011
【図１１】
0005806552.tif 000012
【図１２】
0005806552.tif 000013